(57)【要約】【課題】クローザーの力を強化することなく、乗り場ドアの戸閉時にその乗り場ドアを確実に所定の戸閉位置にまで移動させて完全な閉じ切りを達成する。【解決手段】乗り場ドア10、かごドア27を備え、戸開時には、駆動力をもつかごドア27が戸閉位置から戸開方向に移動した直後に、かごドア27が乗り場ドア10に係合機構28を介して係合してその双方が戸開方向に移動し、戸閉時には、かごドア27と乗り場ドア10とが係合する状態で一体的に戸閉方向に移動して戸閉位置に達する直前にその係合が解除され、かごドア27から乗り場ドア10への駆動力の伝達が遮断されるエレベータのドア装置において、戸閉時に、かごドア27および乗り場ドア10が戸閉位置に近づいてかごドア27と乗り場ドア10との係合が解除される直前に乗り場ドア10と係合してその乗り場ドア10を戸閉方向に弾性的に押し付けるトグルばね機構14が設けられている。【選択図】    図４
2006264856.tif 000002
【特許請求の範囲】
【請求項１】
エレベータ乗り場の出入口を開閉する乗り場ドアと、乗りかごの出入口を開閉するかごドアとを備え、かごドアは駆動装置により駆動され、戸開時には、かごドアが戸閉位置から戸開方向に一定距離だけ移動した際に、その動作でかごドアが乗り場ドアに係合機構を介して係合し、この係合でかごドアと一体的に乗り場ドアが戸開方向に移動し、戸閉時には、互いに係合するかごドアと乗り場ドアとが一体的に戸閉方向に移動してかごドアおよび乗り場ドアが戸閉位置に対して一定距離の位置にまで近づいた際に、その動作で前記係合機構による係合が解除されてかごドアから乗り場ドアへの駆動力の伝達が遮断されるエレベータのドア装置において、
戸閉時に、かごドアおよび乗り場ドアが戸閉位置に一定距離だけあけて近づき、かごドアと乗り場ドアとの係合が解除される直前に、前記乗り場ドアと係合してその乗り場ドアを戸閉方向に弾性的に押し付けるトグルばね機構が設けられていることを特徴とするエレベータのドア装置。
【請求項２】
前記トグルばね機構は、エレベータの出入口を囲むように設けられた出入口枠に回動自在に取り付けられたブラケットと、このブラケットに連結され、該ブラケットが中立位置を境としてその一方側に回動するときには該ブラケットをその一方側の回動方向に弾性的に付勢し、他方側に回動するときにはその他方側の回動方向に弾性的に付勢するばね部材とを備え、
前記乗り場ドアには前記ブラケットに係合可能な係合部材が設けられ、かごドアおよび乗り場ドアが戸閉方向に移動して戸閉位置に近づいた際に、前記乗り場ドアが前記係合部材を介して前記ブラケットに係合し、さらに前記かごドアおよび乗り場ドアが戸閉方向に移動する動作で前記ブラケットが中立位置を越えて回動し、この回動に応じて前記ばね部材により前記乗り場ドアが戸閉方向に弾性的に押し付けられることを特徴とする請求項１に記載のエレベータのドア装置。
【請求項３】
前記トグルばね機構は、前記乗り場ドアに回動自在に取り付けられたブラケットと、このブラケットに連結され、該ブラケットが中立位置を境としてその一方側に回動するときには該ブラケットをその一方側の回動方向に弾性的に付勢し、他方側に回動するときにはその他方側の回動方向に弾性的に付勢するばね部材とを備え、
エレベータの出入口を囲むように設けられた出入口枠には、前記ブラケットに係合可能な係合部材が設けられ、かごドアおよび乗り場ドアが戸閉方向に移動して戸閉位置に近づいた際に、前記乗り場ドアの前記ブラケットが前記係合部材に係合し、さらに前記かごドアおよび乗り場ドアが戸閉方向に移動する動作で前記ブラケットが中立位置を越えて回動し、この回動に応じて前記ばね部材により前記乗り場ドアが戸閉方向に弾性的に押し付けられることを特徴とする請求項１に記載のエレベータのドア装置。
【請求項４】
前記トグルばね機構には、前記ブラケットの回動動作時の衝撃を緩和する緩衝部材が設けられていることを特徴とする請求項２または３に記載のエレベータのドア装置。
【発明の詳細な説明】
【技術分野】
【０００１】
この発明は、エレベータの乗りかごの着床時に、その乗りかごの出入口およびエレベータ乗り場の出入口を開閉するためのドア装置に関する。
【背景技術】
【０００２】
建物の各階のエレベータ乗り場には、エレベータの乗りかごに対して乗降するための出入口が設けられている。そして、この出入口を囲むように出入口枠が設けられ、この出入口枠に引き戸式の乗り場ドアが設置され、この乗り場ドアにより前記出入口が開閉される。
【０００３】
この乗り場ドアは、通常時には閉鎖されていて、昇降路内を昇降する乗りかごがエレベータ乗り場に着床して停止した際に、その乗りかごのかごドアからの駆動力を受けて開閉動作する。
【０００４】
乗りかごのかごドアには、乗り場ドアと係合してかごドアによる駆動力を乗り場ドアに伝達するための係合機構が設けられている。戸開時には、駆動力をもつかごドアがまず戸開方向に移動し、一定以上移動した後にその動作で係合機構が作動してかごドアと乗り場ドアとが係合し、この係合でかごドアの駆動力が乗り場ドアに伝達され、乗り場ドアがかごドアと一体的に戸開方向に移動して戸袋部に達する。
【０００５】
戸閉時には、乗り場ドアとかごドアとの係合が保持されたまま、かごドアに駆動されて乗り場ドアがかごドアと共に戸閉方向に移動する。そして、乗り場ドアが所定の戸閉位置に達する直前に前記係合機構によるかごドアと乗り場ドアとの係合が解除される。
【０００６】
この係合の解除後に、かごドアは自己の駆動力で戸閉位置にまで移動して戸閉し、乗り場ドアはクローザーによる駆動力を受けて戸閉位置にまで移動して戸閉する。前記クローザーは、乗り場ドアを戸閉方向に付勢するスプリングや重りにより構成されている。
【０００７】
かごドアおよび乗り場ドアが戸閉したときには、そのかごドアと乗り場ドアとの係合が解除されて互いに分離されており、したがって戸閉の完了後に乗りかごは乗り場ドアと干渉することなく昇降することが可能となる。
【発明の開示】
【発明が解決しようとする課題】
【０００８】
ところで、特に高層建物において、冬季などの屋内外の気温差があるときには、エレベータの昇降路内の上昇気流が強くなり、乗り場ドアで仕切られる昇降路内とエレベータ乗り場との間の気圧差が大きくなる。
【０００９】
このため、乗り場ドアの戸閉動作時において、戸開時には解消されていた気圧差が乗り場ドアの全閉直前に急激に増大して乗り場ドアの戸当り面へ強い風圧が加わり、乗り場ドアが閉じ切れなくなることがある。
【００１０】
特に最近では、万一の火災に備えて密閉性を高めた遮煙ドアが採用されることも多く、より一層戸閉時における乗り場ドアの内外での気圧差が増大し、上述のような不都合が生じ易くなっている。
【００１１】
このような不都合を防止する手段としては、前記クローザーによる自閉力を強化することが有効である。ところが、クローザーの自閉力を強化するには、スプリングや重りを大型化しなければならなくなり、エレベータの据付スペースに問題が生じてしまう。
【００１２】
クローザーは乗り場ドアを常に戸閉方向に付勢しており、このためこのクローザーの自閉力を強化すると、乗り場ドアの戸開時において、その自閉力に抗して乗り場ドアをかごドアを介して常時大きな駆動力で戸開方向に移動させなければならなくなり、その駆動機構の大型化を招いてしまうという問題がある。
【００１３】
この発明は、このような点に着目してなされたもので、その目的とするところは、クローザーの力を強化することなく、乗り場ドアの戸閉時にその乗り場ドアを確実に所定の戸閉位置にまで移動させて完全な閉じ切りを達成することができるエレベータのドア装置を提供することにある。
【課題を解決するための手段】
【００１４】
請求項１の発明は、エレベータ乗り場の出入口を開閉する乗り場ドアと、乗りかごの出入口を開閉するかごドアとを備え、かごドアは駆動装置により駆動され、戸開時には、かごドアが戸閉位置から戸開方向に一定距離だけ移動した際に、その動作でかごドアが乗り場ドアに係合機構を介して係合し、この係合でかごドアと一体的に乗り場ドアが戸開方向に移動し、戸閉時には、互いに係合するかごドアと乗り場ドアとが一体的に戸閉方向に移動してかごドアおよび乗り場ドアが戸閉位置に対して一定距離の位置にまで近づいた際に、その動作で前記係合機構による係合が解除されてかごドアから乗り場ドアへの駆動力の伝達が遮断されるエレベータのドア装置において、戸閉時に、かごドアおよび乗り場ドアが戸閉位置に一定距離だけあけて近づき、かごドアと乗り場ドアとの係合が解除される直前に、前記乗り場ドアと係合してその乗り場ドアを戸閉方向に弾性的に押し付けるトグルばね機構が設けられていることを特徴としている。
【００１５】
請求項２の発明は、前記トグルばね機構が、エレベータの出入口を囲むように設けられた出入口枠に回動自在に取り付けられたブラケットと、このブラケットに連結され、該ブラケットが中立位置を境としてその一方側に回動するときには該ブラケットをその一方側の回動方向に弾性的に付勢し、他方側に回動するときにはその他方側の回動方向に弾性的に付勢するばね部材とを備え、前記乗り場ドアに前記ブラケットに係合可能な係合部材が設けられ、かごドアおよび乗り場ドアが戸閉方向に移動して戸閉位置に近づいた際に、前記乗り場ドアが前記係合部材を介して前記ブラケットに係合し、さらに前記かごドアおよび乗り場ドアが戸閉方向に移動する動作で前記ブラケットが中立位置を越えて回動し、この回動に応じて前記ばね部材により前記乗り場ドアが戸閉方向に弾性的に押し付けられることを特徴としている。
【００１６】
請求項３の発明は、前記トグルばね機構が、前記乗り場ドアに回動自在に取り付けられたブラケットと、このブラケットに連結され、該ブラケットが中立位置を境としてその一方側に回動するときには該ブラケットをその一方側の回動方向に弾性的に付勢し、他方側に回動するときにはその他方側の回動方向に弾性的に付勢するばね部材とを備え、エレベータの出入口を囲むように設けられた出入口枠に、前記ブラケットに係合可能な係合部材が設けられ、かごドアおよび乗り場ドアが戸閉方向に移動して戸閉位置に近づいた際に、前記乗り場ドアの前記ブラケットが前記係合部材に係合し、さらに前記かごドアおよび乗り場ドアが戸閉方向に移動する動作で前記ブラケットが中立位置を越えて回動し、この回動に応じて前記ばね部材により前記乗り場ドアが戸閉方向に弾性的に押し付けられることを特徴としている。
【００１７】
請求項４の発明は、前記トグルばね機構に、前記ブラケットの回動動作時の衝撃を緩和する緩衝部材が設けられていることを特徴としている。
【発明の効果】
【００１８】
この発明によれば、クローザーの力を強化することなく、乗り場ドアの戸閉時にその乗り場ドアを確実に所定の戸閉位置にまで移動させて完全な閉じ切りを達成することができる。
【発明を実施するための最良の形態】
【００１９】
以下、この発明の実施形態について図面を参照して説明する。
【００２０】
図１ないし図４には第１の実施形態を示してある。これらの図は、建物に設けられたエレベータの昇降路の内部からエレベータ乗り場側を見た正面図である。
【００２１】
エレベータ乗り場の壁面には出入口１が形成され、この出入口１を囲むように前記壁面に出入口枠２が据え付けられている。出入口枠２は、一対の縦梁３ａ，３ｂと、これら縦梁３ａ，３ｂの上部間に架設された横梁４とを有し、横梁４にガイドレール５が水平に取り付けられている。
【００２２】
１０は出入口１を開閉する乗り場ドアで、この乗り場ドア１０は上部にハンガー１１を有し、このハンガー１１が前記ガイドレール５に移動自在に懸架され、この乗り場ドア１０がガイドレール５に沿って移動することにより出入口１が開閉される。
【００２３】
出入口枠２の横梁４には、トグルばね機構１４が設けられている。このトグルばね機構１４はブラケット１５を備え、このブラケット１５は、一端部が軸１６を介して横梁４に回動自在に取り付けられている。そしてこのブラケット１５の他端側の端部からは、その中間部側に延びるＵ字状の係合溝１７が切欠形成されている。この係合溝１７の開放側の縁部は、ブラケット１５の端部外方に向かってテーパ状に拡開するガイド部１８となっている。
【００２４】
横梁４にはブラケット１５の左右の両側に位置して第１および第２のストッパ２０ａ，２０ｂが取り付けられ、またブラケット１５のほぼ中間部と横梁４との間には例えばコイルばねからなるばね部材２２が張設されている。
【００２５】
ブラケット１５は、ほぼ垂直方向に延びる中立位置を境として、軸１６を中心に図における時計方向と反時計方向方に回動する。ばね部材２２は、ブラケット１５が中立位置にあるときにはそのブラケット１５の中心線に沿うようにほぼ垂直に延び、ブラケット１５が時計方向に回動するときには、左斜め下方に傾斜してブラケット１５を時計方向に弾性的に付勢し、ブラケット１５が反時計方向に回動するときには、ブラケット１５と共にその向きを反転して右斜め下方に傾斜し、ブラケット１５を反時計方向に弾性的に付勢するようになっている。
【００２６】
ブラケット１５は、ばね部材２２を介して弾性的に付勢されることにより、時計方向に回動して第１のストッパ２２ａに当接する状態と、反時計方向に回動して第２のストッパ２２ｂに当接する状態との双安定状態に保持される。
【００２７】
乗り場ドア１０のハンガー１１には、この乗り場ドア１０の移動に応じて前記ブラケット１５の係合溝１７と係合することが可能な係合部材としての係合ピン２５が取り付けられている。
【００２８】
図に鎖線で示す２７は、昇降路内で昇降する乗りかごの出入口を開閉する引き戸式のかごドアで、このかごドア２７には乗り場ドア１０との係合が可能な係合機構２８が設けられている。乗りかごにはかごドア２７を駆動する駆動装置（図示せず）が設けられている。
【００２９】
通常時には、図４に示すように、エレベータ乗り場の出入口１は乗り場ドア１０により閉鎖されている。この状態で、昇降路内を昇降する乗りかごがエレベータ乗り場に着床し、そのかごドア２７が乗り場ドア１０に対向する。この後、かごドア２７が駆動装置により駆動されて戸開方向に移動する。
【００３０】
かごドア２７が戸開方向に僅かな一定距離だけ移動したときに、その動作で係合機構２８が作動し、かごドア２７と乗り場ドア１０とが係合し、この係合でかごドア２７から乗り場ドア１０へ駆動力が伝達され、これにより乗り場ドア１０がかごドア２７と一体的に戸開方向に移動して図１に示すように戸袋部３０に達し、エレベータ乗り場の出入口１および乗りかごの出入口が開放され、乗客の乗降が可能となる。
【００３１】
この状態から戸閉時には、駆動装置で駆動されるかごドア２７と一体的に乗り場ドア１０が戸閉方向に移動する。この際、ブラケット１５は図１に示すように、第１のストッパ２０ａに当接して戸袋部３０側に向って斜め下方に傾斜する安定状態に保持されている。
【００３２】
乗り場ドア１０がかごドア２７と共に戸閉方向に移動して所定位置に達すると、図２に示すように、乗り場ドア１０の係合ピン２５が前記ブラケット１５の係合溝１７に入り込む。そして乗り場ドア１０がかごドア２７に駆動されてさらに戸閉方向に移動することにより、係合ピン２５が係合溝１７に沿って相対的に移動し、これに伴いブラケット１５がばね部材２２の弾性力に抗して軸１６を中心に反時計方向に回動する。
【００３３】
回動が進み、図３に示すように、ブラケット１５が中立位置をごく僅かに越える位置にまで回動したとき、つまり乗り場ドア１０が戸閉位置Ｓの手前側の一定距離の位置にまで達したときに、その動作で係合機構２８が作動し、乗り場ドア１０とかごドア２７との係合が解除される。
【００３４】
この係合の解除によりかごドア２７から乗り場ドア１０への駆動力の伝達が遮断されるが、このときには図４に示すように、ブラケット１５が中立位置を越えているために、ばね部材２２の弾性力の作用方向が反転してブラケット１５を反時計方向に回動させる力、つまり乗り場ドア１０を戸閉方向に移動させる力として働き、このばね部材２２による弾性力で乗り場ドア１０が戸閉位置Ｓにまで的確に移動するように押し込まれ、確実な閉じ切りが達成される。
【００３５】
このように、乗り場ドア１０が戸閉位置Ｓの直前にまで近づき、乗り場ドア１０とかごドア２７との係合が解除されたときには、乗り場ドア１０にばね部材２２の弾性力が加わり、したがって乗り場ドア１０を戸閉方向に移動させるクローザーの力を強化することなく、乗り場ドア１０を戸閉位置Ｓにまで的確に移動させて完全な閉じ切りを達成することができる。
【００３６】
乗り場ドア１０が戸閉位置Ｓに達したときには、ブラケット１５は第２のストッパ２２ｂに当接して右斜め下方に傾斜する安定状態に保持される。また、乗り場ドア１０との係合が外れたかごドア２７は駆動装置による駆動力で所定の戸閉位置にまで移動し、乗りかごの出入口が閉鎖される。乗り場ドア１０およびかごドア２７がそれぞれ戸閉しているときには、その乗り場ドア１０とかごドア２７との係合は解除されており、したがって乗りかごの昇降が可能となる。
【００３７】
図４に示す戸閉状態から乗り場ドア１０が戸開方向に移動するときには、その移動に応じてまずブラケット１５がばね部材２２の弾性力に抗して時計方向に回動する。そして乗り場ドア１０が一定距離まで移動したときに、ブラケット１５が中立位置を越え、ばね部材２２の弾性力の作用方向が反転し、ブラケット１５を時計方向に回動させる力として働く。
【００３８】
乗り場ドア１０がさらに戸開方向に移動すると、係合ピン２５がブラケット１５の係合溝１７から離脱し、ブラケット１５がばね部材２２の弾性力で第１のストッパ２２ａに当接する左斜めに傾斜する状態に安定して保持され、また乗り場ドア１０が戸袋部３０に達して停止する。
【００３９】
ところで、図５に変形例として示すように、前記ブラケット１５が当接する各ストッパ２２ａ，２２ｂの外周にゴム等の弾性材からなる緩衝部材３３を取り付けることが可能である。  
このような構成によれば、ブラケット１５がストッパ２２ａ，２２ｂに当接する際の衝撃および騒音を緩衝部材３３により吸収して緩和することができる。
【００４０】
また、さらに異なる変形例として、ブラケット１５の両側縁にゴム等の弾性材からなる例えばシート状の緩衝部材を取り付け、ブラケット１５をその緩衝部材を介してストッパ２２ａ，２２ｂに当接させる構成とすることも可能であり、この場合にもブラケット１５がストッパ２２ａ，２２ｂに当接する際の衝撃および騒音をその緩衝部材により吸収して緩和することができる。
【００４１】
図６ないし図８には第２の実施形態を示してあり、この実施形態においては、トグルばね機構１４のブラケット１５が軸１６を介して乗り場ドア１０のハンガー１１に回動自在に取り付けられている。そしてこのブラケット１５のほぼ中間部と出入口枠２の横梁４との間にばね部材２２が張設され、またブラケット１５の係合溝１７に係合可能な係合ピン２５が横梁４に取り付けられている。
【００４２】
この実施形態の場合には、乗り場ドア１０が戸閉方向に移動するときには、図６に示すようにブラケット１５はばね部材２２の弾性力で第１のストッパ２０ａに当接して斜め上方に傾斜する安定した状態に保持されている。
【００４３】
そして、乗り場ドア１０がかごドア２７と共に戸閉方向に移動して所定位置に達すると、乗り場ドア１０に設けられたブラケット１５の係合溝１７が横梁４の係合ピン２５に嵌合する。
【００４４】
乗り場ドア１０がさらに戸閉方向に移動することにより、係合ピン２５が係合溝１７に沿って相対的に移動し、これに伴い図７に示すように、ブラケット１５がばね部材２２の弾性力に抗して軸１６を中心に反時計方向に回動する。
【００４５】
そして、ブラケット１５がほぼ垂直方向に延びる中立位置をごく僅かに越える位置にまで回動したとき、つまり乗り場ドア１０が戸閉位置Ｓの手前側の一定距離の位置にまで達したときに、その動作で係合機構２８が作動し、乗り場ドア１０とかごドア２７との係合が解除される。
【００４６】
この係合の解除によりかごドア２７から乗り場ドア１０への駆動力の伝達が遮断されるが、このときにはブラケット１５が中立位置を越えているために、ばね部材２２の弾性力の作用方向が反転し、ブラケット１５を反時計方向に回動させる力、つまり乗り場ドア１０を戸閉方向に移動させる力として働き、これにより乗り場ドア１０が戸閉位置Ｓにまで的確に移動して確実な閉じ切りが達成される。
【００４７】
このように、この実施形態においても、乗り場ドア１０が戸閉位置Ｓの直前にまで近づき、乗り場ドア１０とかごドア２７との係合が解除されたときには、乗り場ドア１０にばね部材２２の弾性力が加わり、したがって乗り場ドア１０を戸閉方向に移動させるクローザーの力を強化することなく、乗り場ドア１０を戸閉位置Ｓにまで的確に移動させて完全な閉じ切りを達成することができる。
【００４８】
乗り場ドア１０が戸閉位置Ｓに達したときには、ブラケット１５は第２のストッパ２２ｂに当接して左斜め上方に傾斜する安定状態に保持される。
【００４９】
戸閉状態から乗り場ドア１０が戸開方向に移動するときには、その移動に応じてまずブラケット１５がばね部材２２の弾性力に抗して軸１６を中心に時計方向に回動する。そして乗り場ドア１０が一定距離まで移動したときに、ブラケット１５が中立位置を越え、ばね部材２２の弾性力の作用方向が反転し、ブラケット１５を時計方向に回動させる力として働く。
【００５０】
乗り場ドア１０がさらに戸開方向に移動すると、係合ピン２５がブラケット１５の係合溝１７から離脱し、ブラケット１５がばね部材２２の弾性力で第１のストッパ２２ａに当接する右斜め上方に傾斜する安定状態に保持される。
【００５１】
この第２の実施形態においても、図９に変形例として示すように、前記ブラケット１５が当接する各ストッパ２２ａ，２２ｂの外周にゴム等の弾性材からなる緩衝部材３３を取り付けることが可能である。  
このような構成によれば、ブラケット１５がストッパ２２ａ，２２ｂに当接する際の衝撃および騒音を緩衝部材３３により吸収して緩和することができる。
【００５２】
また、さらに異なる変形例として、ブラケット１５の両側縁にゴム等の弾性材からなる例えばシート状の緩衝部材を取り付け、ブラケット１５をその緩衝部材を介してストッパ２２ａ，２２ｂに当接させる構成とすることも可能であり、この場合にもブラケット１５がストッパ２２ａ，２２ｂに当接する際の衝撃および騒音をその緩衝部材により吸収して緩和することができる。
【００５３】
なお、前記各実施形態においては、一枚の乗り場ドアを左右方向に移動させてエレベータ乗り場の出入口を開閉する片開き式のドア装置としたが、二枚の乗り場ドアを互いに左右対称的に移動させて出入口を開閉する両開き式のドア装置、あるいは複数枚の乗り場ドアが前後に段違い状に並び、その各乗り場ドアが左右同一の方向に異なる速度で移動することにより出入口を開閉する多段速式のドア装置であってもこの発明を同様に適用することができる。
【００５４】
ただ、前記両開き式や多段速式のドア装置においては、一枚の乗り場ドアに対して残りの乗り場ドアが連動して移動する構造となっているから、その一枚の乗り場ドアに対してこの発明のトグルばね機構を組み込むようにすればよい。
【図面の簡単な説明】
【００５５】
【図１】この発明の第１の実施形態に係るドア装置の戸開時の状態を示す正面図。
【図２】そのドア装置の戸閉動作途中の第１段階の状態を示す正面図。
【図３】そのドア装置の戸閉動作途中の第２段階の状態を示す正面図。
【図４】そのドア装置の戸閉完了時の状態を示す正面図。
【図５】そのドア装置におけるトグルばね機構のストッパに緩衝部材を取り付けた変形例を示す正面図。
【図６】この発明の第２の実施形態に係るドア装置の戸閉動作途中の第１段階の状態を示す正面図。
【図７】そのドア装置の戸閉動作途中の第２段階の状態を示す正面図。
【図８】そのドア装置の戸閉完了時の状態を示す正面図。
【図９】そのドア装置におけるトグルばね機構のストッパに緩衝部材を取り付けた変形例を示す正面図。
【符号の説明】
【００５６】
１…出入口
２…出入口枠
１０…乗り場ドア
１４…トグルばね機構
１５…ブラケット
１６…軸
１７…係合溝
２２…ばね部材
２２ａ．２２ｂ…ストッパ
２５…係合ピン
２７…かごドア
２８…係合機構
３０…戸袋部
【図１】
2006264856.tif 000003
【図２】
2006264856.tif 000004
【図３】
2006264856.tif 000005
【図４】
2006264856.tif 000006
【図５】
2006264856.tif 000007
【図６】
2006264856.tif 000008
【図７】
2006264856.tif 000009
【図８】
2006264856.tif 000010
【図９】
2006264856.tif 000011